(57)【特許請求の範囲】
【請求項１】
床面に固定され、係止部材が回動自在に取り付けられた床金具と、
扉に取り付けられ、前記係止部材と当接し又は前記係止部材を係合することによって、前記扉を係止する戸当り部材と
を具備し、
前記戸当り部材が、
前記戸当り部材の底面中央に設けられ、前記係止部材を吸引する磁石と、
前記戸当り部材の底面扉側に設けられ、前記扉が開かれると、前記磁石によって吸い付けられた前記係止部材と当接する戸当り部と、
前記戸当り部材の底面反扉側に前記戸当り部と対向して設けられ、前記開かれた扉が閉方向に戻ろうとすると、前記磁石によって吸い付けられた前記係止部材と当接する振れ止め用係止部と、
前記戸当り部材の反扉側端部であり、かつ、前記振れ止め用係止部より反扉側に設けられ、扉側に回動させられた前記係止部材と係合して、前記扉を開かれた状態に維持する開放固定手段と
を有することを特徴とする磁石式扉係止装置。
【請求項２】
前記振れ止め用係止部を、前記反扉側底面に形成された斜面の中段に、円弧状に盛り上がった形状としてあることを特徴とする請求項１に記載の磁石式扉係止装置。
【請求項３】
前記開放固定手段が、前記扉側に回動させられた前記係止部材が当接する面取り面、前記扉が閉まらないように前記係止部材を係止する固定用係止溝、及び、前記扉がさらに開かないように係止するストッパを有することを特徴とする請求項１又は２に記載の磁石式扉係止装置。
【請求項４】
前記床金具を、回動軸と係止軸を有する矩形環状の前記係止部材と、前記回動軸を回動自在に支持する軸受部の形成された金具本体と、この金具本体を覆おう床金具カバーとで構成したことを特徴とする請求項１〜３のいずれか一項に記載の磁石式扉係止装置。
【請求項５】
前記軸受部を、半円筒状に折り曲げた半円筒部と前記回動軸が落下しないように係止する係止爪とで構成したことを特徴とする請求項４に記載の磁石式扉係止装置。
【発明の詳細な説明】
【０００１】
【発明の属する技術分野】
本発明は、磁石式扉係止装置に関し、特に、戸当り，振れ止め及び開放具としての機能を備えた磁石式扉係止装置に関する。
【０００２】
【従来の技術】
近年、扉を係止する振れ止め装置において、バリアフリーを達成した様々な構造の振れ止め装置が開発されている。
通常、これらの振れ止め装置は、磁石の磁気吸引力を利用して係止部材を吸い付けることにより、床金具の高さを低くしている。
【０００３】
（従来例）
たとえば、特開２００１−３６２７号公報において、床面側に回動自在に係止片を取り付け、この係止片を磁気吸引力により上方に回動させ、扉を係止する扉係止装置が提案されている。
図１４は、上記公開公報における扉係止装置の構造を説明するための概略断面図を示している。
同図において、扉係止装置１００は、扉１０７の下部に固定され、磁石１０９の埋設された被係止部材１０８と、床面１０２に固定され、係止片１０３を上方に回動自在に支持する取付板１０１及び取付板１０１を覆うカバー１０６とからなっている。
【０００４】
係止片１０３は、鉄などの磁性材からなる矩形板部材であり、両端が折り返されており、一方の折り返し部に形成された凹部に支軸１０４が挟持された構造としてある。
また、取付板１０１は、係止片１０３が収納される開口部の形成された板部材であり、板部材を折り返すことにより支軸１０４を支持する軸受孔１１３を形成してある。
【０００５】
上記構成の扉係止装置１００は、扉１０７が移動し磁石１０９が係止片１０３の上方にさしかかると、磁気吸引力により係止片１０３が上方に回動し、被係止部１１０と当接して扉１０７の前進を妨げ、戸当りとして機能する。
そして、磁石１０９が係止片１０３を吸着することによって、扉１０７の開放状態を維持し、振れ止めとして機能する。
【０００６】
しかしながら、扉１０７を閉じる方向に大きな力が作用すると、磁石１０９による係止片１０３の吸着が外れ、扉１０７が閉じてしまう。
したがって、扉１０７の振れ止め（一定の力で扉を係止する装置）として使用するには、強力な磁石を用いる必要があるが、強力な磁石を用いると、通常時の扉１０７を閉じる動作にも大きな力を必要とするため実用的ではない。また、磁石１０９を用いただけでは、扉１０７の開放状態を維持する開放具として機能させることは困難であった。
【０００７】
また、図示してないが、特許第２９３８４４８号公報において、上記扉係止装置１００とほぼ同様な構成とし、係合部材に凹部を形成し、さらに、被係合部材に突部を形成した戸の振れ止め装置の技術が開示されている。
この戸の振れ止め装置は、磁気吸引力により係止部材が吸い付けられると、突部が係止部材の凹部を係止する構成としてある。
これにより、係止状態が維持されている間は、扉を閉めようとする力に抗して扉を固定することができる。また、係止状態を解除するほどの力で扉を閉めると、係止が解除されるので扉を閉めることができる。
【０００８】
【発明が解決しようとする課題】
上記のように、従来の磁石を用いた扉係止装置や戸の振れ止め装置は、戸当りや振れ止めとして機能するものの、扉の開放具として機能させることができないといった問題があった。
【０００９】
特に、特許第２９３８４４８号の扉の開放具は、床から係止部が突設されるため、あらかじめ床に金具の取付部を形成しておかなければならず、作業工数が多くかかるといった問題があった。
さらに、係合部材の凹部に突部が係止されるように、基盤（床金具）の取付け位置合わせを精度良く行う必要があり、取付け作業に熟練を要し、位置合わせの精度が悪いと、係止力が低下し振れ止めとして使用できないといった短所があった。
【００１０】
また、特開２００１−３６２７号公報において開示された扉係止装置は、支軸１０４が折り返し部に形成された凹部によって挟持された構造となっており、折返し部の板厚が、凹部が形成されることにより薄くなってしまい、機械的強度が低下するといった問題があった。
【００１１】
本発明は、上記問題を解決すべく、戸当り，振れ止め及び開放具としての機能を備えた磁石式扉係止装置の提供を目的とする。
【００１２】
【課題を解決するための手段】
この目的を達成するために、本発明の磁石式扉係止装置は、床面に固定され、係止部材が回動自在に取り付けられた床金具と、扉に取り付けられ、前記係止部材と当接し又は前記係止部材を係合することによって、前記扉を係止する戸当り部材とを具備し、前記戸当り部材が、前記戸当り部材の底面中央に設けられ、前記係止部材を吸引する磁石と、前記戸当り部材の底面扉側に設けられ、前記扉が開かれると、前記磁石によって吸い付けられた前記係止部材と当接する戸当り部と、前記戸当り部材の底面反扉側に前記戸当り部と対向して設けられ、前記開かれた扉が閉方向に戻ろうとすると、前記磁石によって吸い付けられた前記係止部材と当接する振れ止め用係止部と、前記戸当り部材の反扉側端部であり、かつ、前記振れ止め用係止部より反扉側に設けられ、扉側に回動させられた前記係止部材と係合して、前記扉を開かれた状態に維持する開放固定手段とを有する構成としてある。
このようにすることにより、戸当り，振れ止め及び開放具の三つの機能を発揮することができる。
【００１３】
また、本発明の磁石式扉係止装置は、前記振れ止め用係止部を、前記反扉側底面に形成された斜面の中段に、円弧状に盛り上がった形状としてある。
このようにすることにより、扉を係止する係止力を増加させることができる。
【００１４】
また、本発明の磁石式扉係止装置は、前記開放固定手段が、前記扉側に回動させられた前記係止部材が当接する面取り面、前記扉が閉まらないように前記係止部材を係止する固定用係止溝、及び、前記扉がさらに開かないように係止するストッパを有する構成としてある。
【００１５】
このようにすることにより、開放固定手段の部品を共用化して部品点数を削減することができるので、その分コストダウンを図ることができる。また、ストッパによって、扉をさらに開こうとしても、扉が開かないように固定することができる。
【００１６】
また、本発明の磁石式扉係止装置は、前記床金具を、回動軸と係止軸を有する矩形環状の前記係止部材と、前記回動軸を回動自在に支持する軸受部の形成された金具本体と、この金具本体を覆おう床金具カバーとで構成してある。
このようにすると、係止部材を使用しないとき、係止軸を金具本体に収納することができ、床金具の高さを低くすることができるので、バリアフリーとすることができる。
【００１７】
また、本発明の磁石式扉係止装置は、前記軸受部を、半円筒状に折り曲げた半円筒部と前記回動軸が落下しないように係止する係止爪とで構成してある。
このようにすることにより、係止部材が外れないので、床金具を容易に固定することができる。
【００１８】
【発明の実施の形態】
以下、本発明の磁石式扉係止装置における実施形態について、図面を参照して説明する。
【００１９】
図１は、本発明における磁石式扉係止装置の構成を説明するための概略断面図を示している。
同図において、１は磁石式扉係止装置であり、金具本体２０，環状係止部材３及び床金具カバー４とからなる床金具２と、戸当り部材５とで構成してある。
【００２０】
床金具２は、木ねじなどの固定ねじ６１によって床面６に固定され、また、戸当り部材５は、木ねじなどの固定ねじ７１によって扉７に固定されている。
なお、床金具２や戸当り部材５の固定手段は、上記固定ねじ６１，７１に限定されるものではなく、接着剤、接着シート、ボルトなどの様々な固定手段を用いて固定してもよい。
【００２１】
［床金具］
図２は、本実施形態にかかる床金具の概略斜視図を示している。
また、図３は、本実施形態にかかる床金具の各構成部品を説明するための概略分解斜視図を示している。
【００２２】
図２及び図３において、床金具カバー４は、外縁に段差ができないように斜面４１の形成された円形状の板部材としてある。
この床金具カバー４は、反扉側から扉側に向かって、収納孔４２，ねじ孔４４及び固定補強孔４５が形成してある。
【００２３】
収納孔４２は、矩形状の環状係止部材３を収納するために、ほぼ矩形状の収納孔としてある。また、環状係止部材３が扉側に十分倒れるまで回動できるように、扉側に逃げ溝４３を形成してある。
【００２４】
また、収納孔４２には、反扉側の側面中段から固定補強受け４７が突設してある。
この固定補強受け４７は、床金具カバー４が反ったり、捲れたりしないように、金具本体２０の固定補強押え２６により上から押さえつけられる。また、固定補強受け４７の下部には、固定補強押え２６が上方に移動しやすいように斜面４８を形成してある。
【００２５】
ねじ孔４４は、皿ねじなどの固定ねじ６１を挿入するために、面取り加工が施されている。
なお、固定手段として、固定ねじ６１の代りに、たとえば、接着剤などを用いる場合には、ねじ孔４４を形成しなくてもよい。
【００２６】
固定補強孔４５は、矩形状の溝であり、この溝の扉側側面の下部に固定補強受け４６が突設してある。
【００２７】
また、収納孔４２と固定補強孔４５との間の底面には、金具本体２０の固定板２７を収納する凹部が形成してある（図１参照）。
なお、床金具カバー４の材料は、樹脂としてあるが、樹脂に限定するものではなく、固定補強押え２６が、斜面４８を滑りながら固定補強受け４７の上面に係止されるだけの弾性を有していればよく、金属，ゴム又はこれらの複合材料などでもよい。
【００２８】
ここで、好ましくは、床金具カバー４の高さをできるだけ低く、たとえば、約３ｍｍ以下とするとよく、このようにすると、足を引っかけたりする危険性を排除することができ、バリアフリーを達成することができる。
【００２９】
金具本体２０は、図３に示すように、上面から見るとほぼ矩形状の板部材であり、中央部に環状係止部材３の回動軸３１を軸支する軸受部２１と、この軸受部２１の両側に位置する固定板２２，２７と、固定板２２から突設された固定補強押え２６と、固定板２７から突設された固定補強押え２９とからなっている。
【００３０】
軸受部２１は、半円筒部２１ａと係止爪２１ｂとからなっており、図４に示すように、半円筒部２１ａの両端部に突設された係止爪２１ｂが、半円筒部２１ａに遊嵌された回動軸３１を抜け落ちないように係止している。
【００３１】
固定板２２は、軸受部２１の反扉側に連結してあり、床金具カバー４の上面とほぼ同じ高さまで、上方に向かって凸状にプレス加工してある。また、外縁上部には、円弧状の面取り面２４が形成してあり、さらに、上面の中央部には、ねじ孔２３が形成してある。
また、固定板２２の上記プレス加工部は、床金具２にできるだけ凹凸ができないように、環状係止部材３が遊嵌するように形成してある。
【００３２】
固定補強押え２６は、固定板２２の反扉側の下部から、水平方向に突設され、続いて、斜め上方に折り曲げられ、再び水平方向に形成された矩形状の板部材である。
このようにすることにより、環状係止部材３の係止軸３２を収納する収納凹部２５を形成してある。
【００３３】
固定板２７は、軸受部２１の扉側に連結した矩形板部材であり、中央部に固定ねじ６１が挿入される貫通孔２８が穿設してある。固定ねじ６１がねじ締めされると、床金具カバー４を介して、床面６に押し付けられる構成としてある。
【００３４】
固定補強押え２９は、固定板２７の扉側の下部から、上方向に突出され、続いて、水平方向に折り曲げられた矩形状の板部材である。
【００３５】
なお、金具本体２０の材料は、金属としてあるが、金属に限定するものではなく、回動軸３１を軸支したり、固定補強受け４６，４７を押さえつけるだけの機械的強度を有していればよく、樹脂，ゴム又はこれらの複合材料などでもよい。
【００３６】
環状係止部材３は、上記軸受部２１に軸支される回動軸３１と、回動軸３１と対向して配置される係止軸３２と、回動軸３１と係止軸３２の対向する端部を連結する連結軸３３とからなる、矩形環状の形状としてある。
また、環状係止部材３の材料は、戸当り部材５の磁石５４２によって、係止軸３２が吸い付けられるように磁性材料としてあり、通常、機械的強度が必要とされることから、鋼材などの磁性金属材料が用いられる。
【００３７】
なお、床金具２は、図５に示すように、逃げ溝４３が形成されているので、環状係止部材３の係止軸３２を扉側の方向に回動させることができる。
また、環状係止部材３は、軸受部２１に軸支されているので、抜け落ちることもなく、自在に回動することができる。
【００３８】
上記床金具２は、金具本体２０の固定補強押え２９を固定補強孔４５の下から挿入し、金具本体２０を反扉側に倒し、固定補強押え２６を固定補強受け４７の上面に係止させることによって、環状係止部材３，金具本体２０及び床金具カバー４を組み立てることができる。
ここで、固定補強押え２９は、固定補強受け４６を上から押さえつけることができ、また、固定補強押え２６は、斜面４８を滑りながら移動することができる。
【００３９】
［戸当り部材］
図６は、本実施形態にかかる戸当り部材の概略斜視図を示している。
同図において、戸当り部材５は、扉面に取り付けるための取付板５２と、取付板から突出された突出部５１とからなっている。
【００４０】
突出部５１は、全体的に丸みをおびた形状としてある。
また、取付板５２は、両側端部に上下方向に、扉７に取り付けるための固定ねじ７１が挿入される長穴５２１が穿設してある。
なお、固定手段として、固定ねじ７１の代りに、たとえば、接着剤などを用いる場合には、長穴５２１を形成しなくてもよい。
【００４１】
図７は、本実施形態の戸当り部材の構造を説明するための概略図であり、（ａ）は上面図を、（ｂ）は側面図を、（ｃ）は正面図を、（ｄ）は底面図を示している。
同図において、突出部５１の前面下部には、反扉側（前面側）にガイド部５１３が突設してあり、このガイド部５１３の上面中央部に、固定用係止部５３１が形成してある。
【００４２】
固定用係止部５３１は、前面に円弧状の面取り面５３３が形成してあり、この面取り面５３３と連結する上部には、環状係止部材３の係止軸３２が係止される固定用係止溝５３２が形成してある。
【００４３】
ストッパ５３４は、突出部５１の前面の、固定用係止部５３１の上面より係止軸３２の直径分以上高い位置から、係止溝５３２を覆うように反扉側に突設してある。また、ストッパ５３４の突出量は、係止軸３２の半径より大きい長さとしてある。
【００４４】
また、突出部５１の底面の扉側には、ガイド部５１３の厚さと同じ厚さの、ほぼ矩形平板状の戸当り部５１１が突設してある。
この戸当り部５１１の反扉側の側面には、半円状の戸当り溝５１２が形成してあり、この戸当り溝５１２の上側の溝面は、底面５１５と滑らかにつながっている。
【００４５】
ガイド部５１３と戸当り部５１１の間の底面５１５には、直方体状の磁石５４２が埋設してある。
つまり、突出部５１には、扉側から開口部５４１が形成してあり、この開口部に磁石５４２を挿入し、さらに、スペーサ５４３を挿入して、磁石５４２を固定してある。
【００４６】
ガイド部５１３の扉側（戸当り溝５１２と対向する）端部には、斜面５１４が形成してあり、この斜面５１４の中段には、円弧状に盛り上がった振れ止め用係止部５１６が突設してある。底面５１５と振れ止め用係止部５１６とに当接した係止軸３２は、磁石５４２の磁気吸引力によって底面５１５に吸い付けられている限り、振れ止め用係止部５１６によって係止される。ここで、振れ止め用係止部５１６を円弧状に形成することにより、突出部５１と床金具２の取付け角度がばらついても、ほぼ同じ係止力で係止軸３２を係止することができる。
【００４７】
なお、突出部５１の材料は、係止軸３２を係止するだけの機械的強度を有する樹脂としてある。また、磁石５４２によって磁化しないように、磁性を有しない材料が使用される。
【００４８】
次に、上記構成の磁石式扉係止装置１の動作について、図面を参照して説明する。
図１及び図８〜１１は、本実施形態の磁石式扉係止装置において、係止軸が吸い付けられる状態を説明するための概略断面図を示している。
【００４９】
図１における環状係止部材３が床金具２に収納された状態から、図８に示すように、扉７が開かれ戸当り部材５が扉側から反扉側に向かって、床金具２の上を移動してくると、環状係止部材３の係止軸３２は、磁石５４２の磁気吸引力によって、上方に吸い付けられ振れ止め用係止部５１６と当接する。
【００５０】
さらに、扉７が開かれると、図９に示すように、係止軸３２は、磁気吸引力によって吸い付けられながら、振れ止め用係止部５１６を移動し、さらに、底面５１５と当接する。
【００５１】
扉７が開放限界位置まで開かれると、図１０に示すように、係止軸３２が戸当り部５１１の戸当り溝５１２と当接するので、扉７は、これ以上開かれることはない。
このようにして、磁石式扉係止装置１は、戸当りとして機能する。
【００５２】
この状態で、風などによって扉７を閉じるように力が作用すると、図１１に示すように、係止軸３２が磁気吸引力により底面５１５に吸い付けられた状態で、振れ止め用係止部５１６と当接する。したがって、扉７は、それ以上閉じる方向に移動することがない。また、この振れ止め用係止部５１６は、扉７を勢いよく開いたときの反動に対しても有効に機能する。このようにして、磁石式扉係止装置１は、振れ止めとして機能する。
【００５３】
ただし、扉７が大きな力で閉められると、係止軸３２は、振れ止め用係止部５１６を乗り越え、図８に示すように、振れ止め用係止部５１６の反扉側に移動する。さらに扉７が閉められ、戸当り部材５が床金具２の上方から離れると、係止軸３２が重力によって収納凹部２５に収納され、扉７を自由に閉めることができる。なお、係止軸３２を係止する係止力は、磁気吸引力の大きさや、振れ止め用係止部５１６の形状によって、容易に調整することができる。
【００５４】
次に、図１２に示すように、係止軸３２を扉側に回動させてから（図５参照。）扉７を開くと、係止軸３２が固定用係止部５３１の面取り面５３３と当接し、面取り面５３３上を移動し、固定用係止溝５３２に係止される。
このように、係止軸３２が固定用係止溝５３２に係止されると、扉７を閉めようとしても閉めることができず、開放具として機能し、すなわち、扉７を所定位置に固定することができる。
【００５５】
この状態で、風などによって扉７を開ける方向に力が作用すると、図１３に示すように、係止軸３２が突出部５１の前面に沿って上に移動し、ストッパ５３４の下面と当接する。したがって、扉７は、それ以上に開ける方向に移動することはない。
なお、係止軸３２を持ち上げて、固定用係止溝５３２から浮かせると、開放具としての機能を解除することができ、扉７を閉めることができる。
【００５６】
【発明の効果】
以上、詳細に説明したように、本発明における磁石式扉係止装置によれば、部品を共用化し部品点数を削減した構造で、戸当り，振れ止め及び開放具としての機能を発揮することができる。したがって、部品点数を削減した分、製造コストのコストダウンを図ることができる。さらに、戸当りと扉の開放具の二つを、別個に扉や床に取り付けなくてもすむので、外観及び施工効率を改善することができる。
【図面の簡単な説明】
【図１】図１は、本発明における磁石式扉係止装置の構成を説明するための概略断面図を示している。
【図２】図２は、本実施形態にかかる床金具の概略斜視図を示している。
【図３】図３は、本実施形態にかかる床金具の各構成部品を説明するための概略分解斜視図を示している。
【図４】図４は、本実施形態における半円筒部と係止爪が、回動軸が抜け落ちないように係止する状態を説明するための概略拡大断面図を示している。
【図５】図５は、本実施形態にかかる床金具の、環状係止部材が開いた状態を説明するための概略斜視図を示している。
【図６】図６は、本実施形態にかかる戸当り部材の概略斜視図を示している。
【図７】図７は、本実施形態の戸当り部材の構造を説明するための概略図であり、（ａ）は上面図を、（ｂ）は側面図を、（ｃ）は正面図を、（ｄ）は底面図を示している。
【図８】図８は、本実施形態の磁石式扉係止装置において、係止軸が吸い付けられる状態を説明するための概略断面図を示している。
【図９】図９は、本実施形態の磁石式扉係止装置において、係止軸が底面を移動する状態を説明するための概略断面図を示している。
【図１０】図１０は、本実施形態の磁石式扉係止装置において、係止軸が戸当り溝に係止された状態を説明するための概略断面図を示している。
【図１１】図１１は、本実施形態の磁石式扉係止装置において、係止軸が振れ止め用係止部に係止された状態を説明するための概略断面図を示している。
【図１２】図１２は、本実施形態の磁石式扉係止装置において、係止軸が固定用係止溝に係止された状態を説明するための概略断面図を示している。
【図１３】図１３は、本実施形態の磁石式扉係止装置において、係止軸がストッパに係止された状態を説明するための概略断面図を示している。
【図１４】図１４は、特開２００１−３６２７号公報における扉係止装置の構造を説明するための概略断面図を示している。
【符号の説明】
１  磁石式扉係止装置
２  床金具
３  環状係止部材
４  床金具カバー
５  戸当たり部材
６  床面
７  扉
２０  金具本体
２１  軸受部
２１ａ  半円筒部
２１ｂ  係止爪
２２  固定板
２３  ねじ孔
２４  面取り面
２５  収納凹部
２６  固定補強押え
２７  固定板
２８  貫通孔
２９  固定補強押え
３１  回動軸
３２  係止軸
３３  連結軸
４１  斜面
４２  収納孔
４３  逃げ溝
４４  ねじ孔
４５  固定補強孔
４６，４７  固定補強受け
５１  突出部
５２  取付板
６１  固定ねじ
７１  固定ねじ
５１１  戸当り部
５１２  戸当り溝
５１３  ガイド部
５１４  斜面
５１５  底面
５１６  振れ止め用係止部
５３１  固定用係止部
５３２  固定用係止溝
５３３  面取り面
５３４  ストッパ
５４１  開口部
５４２  磁石
５４３  スペーサ
５２１  長穴
１００  扉係止装置
１０１  取付板
１０２  床面
１０３  係止片
１０４  支軸
１０６  カバー
１０７  扉
１０８  被係止部材
１０９  磁石
１１０  被係止部
１１３  軸受孔
【図１】
0003946565.tif 000002
【図２】
0003946565.tif 000003
【図３】
0003946565.tif 000004
【図４】
0003946565.tif 000005
【図５】
0003946565.tif 000006
【図６】
0003946565.tif 000007
【図７】
0003946565.tif 000008
【図８】
0003946565.tif 000009
【図９】
0003946565.tif 000010
【図１０】
0003946565.tif 000011
【図１１】
0003946565.tif 000012
【図１２】
0003946565.tif 000013
【図１３】
0003946565.tif 000014
【図１４】
0003946565.tif 000015